(57)【要約】      （修正有）【課題】水中にいる生物の加温方法及び加温システムを提供する。【解決手段】水中にいる生物を少なくとも側方から包囲する包囲部２０によって水中にいる生物を包囲し、水中にいる生物に光源１０から近赤外線を照射し、包囲部１０の内側面には近赤外線を反射する反射部材３０が取り付けられ、近赤外線は、水中にいる生物に直接又は反射部材３０への反射を経て照射され、かつ水面に対して９０度未満の角度で照射される加温方法。【選択図】図１
2020174550.tif 000002
【特許請求の範囲】
【請求項１】
水中にいる生物を少なくとも側方から包囲する包囲部によって水中にいる生物を包囲し、
水中にいる生物に光源から近赤外線を照射し、
前記包囲部の内側面には近赤外線を反射する反射部材が取り付けられ、
近赤外線は、水中にいる生物に直接又は前記反射部材への反射を経て照射され、かつ水面に対して９０度未満の角度で照射される加温方法。
【請求項２】
水上に遮光性を備えた網状部材を設置する請求項１に記載の加温方法。
【請求項３】
前記光源は前記包囲部に取り付けられ、
前記包囲部は、前記水中において移動可能に構成される請求項１又は２に記載の加温方法。
【請求項４】
前記光源は、ＬＥＤを含む請求項１に記載の加温方法。
【請求項５】
水中にいる生物を少なくとも側方から包囲する包囲部と、
前記包囲部の内側面に設けられ、近赤外線を反射する反射部材と、
水中にいる生物に近赤外線を照射する照射部と、を備え、
前記照射部は、水中にいる生物に対して直接又は前記反射部材への反射を経て近赤外線を照射するとともに、水面に対して９０度未満の角度で近赤外線を照射する加温システム。
【発明の詳細な説明】
【技術分野】
【０００１】
本発明は、加温方法及び加温システムに関する。
【背景技術】
【０００２】
魚等の水中にいる生物を飼育する方法が知られている。従来の飼育方法では、魚等が生息する水槽等を所定の温度に加温する技術が知られている（特許文献１参照）。
【先行技術文献】
【特許文献】
【０００３】
【特許文献１】特開平０２−２０２３０号公報
【発明の概要】
【発明が解決しようとする課題】
【０００４】
本発明者らは、特許文献１のような魚等のいる水を加温することによって魚等の水中にいる生物を加温する方法に代わる技術について鋭意研究している。
【０００５】
そこで本発明は、水中にいる生物の加温方法及び加温システムを提供することを目的とする。
【課題を解決するための手段】
【０００６】
上記目的を達成する本発明に係る加温方法は、水中にいる生物を側方から包囲する包囲部によって水中にいる生物を包囲する。そして、水中にいる生物に光源から近赤外線を照射する。包囲部の内側面には近赤外線を反射する反射部材が取り付けられ、近赤外線は、水中にいる生物に直接又は反射部材への反射を経て照射され、かつ水面に対して９０度未満の角度で照射される。
【０００７】
本発明に係る加温システムは、水中にいる生物を側方から包囲する包囲部と、前記包囲部の内側面に設けられ、近赤外線を反射する反射部材と、水中にいる生物に光源から近赤外線を照射する照射部と、を備える。照射部は、水中にいる生物に対して直接又は反射部材への反射を経て近赤外線を照射するとともに水面に対して９０度未満の角度で近赤外線を照射する。
【発明の効果】
【０００８】
本発明に係る加温方法及び加温システムによれば、近赤外線の照射によって水中にいる生物を加温することができる。
【図面の簡単な説明】
【０００９】
【図１】本発明の一実施形態に係る生物の加温システムを示す斜視図である。
【図２】海等の水域に図１の加温システムを設置した際において、加温システムを構成する包囲部の内部において水中にいる生物を加温する様子を示す図である。
【図３】加温システムの変形例を示す図である。
【発明を実施するための形態】
【００１０】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。なお、以下では海等の水面に沿う面をＸＹ平面と記載する。また、ＸＹ平面に直交する高さ方
向を高さ方向Ｚと記載する。
【００１１】
図１〜図２は、本発明の実施形態に係る生物の加温システムの説明に供する図である。
【００１２】
本実施形態に係る生物の加温システム１００は、海、養殖池等の水産生物を養殖できる海域において水中にいる生物を加温することで活力増進、成長促進等をさせることに用いられる。本実施形態に係る加温方法は魚介類の種苗生産や養殖技術の開発に利用することが期待できる。なお、本明細書において「水中にいる生物」とは、ヒラメ等の魚類、アワビ等の貝類、昆布等の海藻類、又はダイバー等の人間を挙げることができる。
【００１３】
加温システム１００は、図１に示すように、照射部１０と、包囲部２０と、反射部材３０と、を有する。照射部１０は本明細書において光源に相当する。以下、詳述する。
【００１４】
（照射部）
照射部１０は、水中にいる生物に近赤外線Ｎを照射する。近赤外線Ｎは水に吸収されない、又は水に吸収されにくい性質を有する。この性質を利用することによって、水等にはエネルギーを与えにくくしつつ、魚等の水中にいる生物を数度（例えば最高５度）程度加温することができる。照射部１０は、図１に示すようにＬＥＤを備える。
【００１５】
ＬＥＤは、図２に示すように包囲部２０を構成する第１網状部材２１又は反射部材３０に取り付けられる。ＬＥＤは、水中にいる生物に対して直接又は反射部材３０への反射を経て近赤外線Ｎを照射する。また、ＬＥＤは、水面Ｗに対して９０度未満の角度にて近赤外線を照射するように構成している。
【００１６】
ＬＥＤは、本実施形態において図１、図２に示すように包囲部２０を構成する第１網状部材２１の４つの側面のうちの２面において高さ方向Ｚに複数並べて配置している。ただし、近赤外線Ｎを水面に対して９０度未満の角度で照射できれば、第１網状部材２１におけるＬＥＤの配置位置は特に限定されない。本明細書における「近赤外線」とは、８００ｎｍ−１５００ｎｍの波長の光を指す。
【００１７】
近赤外線Ｎは、本実施形態においてＬＥＤを取り付けた第１網状部材２１又は反射部材３０から水中にいる生物又は反射部材３０、及び水面Ｗに向かって照射するように構成している。ＬＥＤは、不図示の電源部に有線で接続されて近赤外線Ｎを照射するための電力が供給されてもよいし、第１網状部材２１又は反射部材３０に二次電池等を取り付け、二次電池から電力が供給されてもよい。
【００１８】
（包囲部）
包囲部２０は、水中にいる生物を少なくとも側方から包囲する。包囲部２０は、図１及び図２に示すように第１網状部材２１と、第２網状部材２２と、を備える。
【００１９】
第１網状部材２１は、水中にいる生物の行動範囲を規制するために設けられる。第１網状部材２１は、ＸＹ平面のように水平方向及び高さ方向Ｚの少なくともいずれかに移動可能に構成している。第１網状部材２１は、図１に示すようにいわゆる生簀等として構成することができる。
【００２０】
第１網状部材２１は、図１において平面視した際に略矩形状に形成するように構成している。寸法についても特に限定されないが、一例として上方から平面視した際の縦横の長さが約５ｍ、深さを１．５ｍとすることができる。
【００２１】
第１網状部材２１は、水中にいる生物の行動範囲を規制できれば、具体的な形状は矩形
に限定されず、他の多角形、又は円形等であってもよい。また、網の目の大きさは、一例として数ｃｍ程度とすることができるが、水中にいる生物の行動範囲を規制できれば、具体的な数値は上記に限定されない。
【００２２】
第２網状部材２２は、海上（水上）において水中にいる生物を包囲するために設けられる。第２網状部材２２は、図２に示すようにローブなどの吊下部材２３によって水上に垂下されるように構成している。第２網状部材２２は、水中にいる生物が鳥等によって捕食されないように遮光部材を設けるように構成している。遮光部材は、第２網状部材２２に貼付して取り付けられる。遮光部材は、ＰＥＴ等の遮光性を備えた材料を含み、不透明に構成している。
【００２３】
なお、第２網状部材２２は、本実施形態においてほぼ全面が遮光部材によって覆うように構成している。ただし、鳥類によって加温する対象となる生物が見え難くなる程度に包囲できれば、必ずしも第２網状部材２２の全面を覆わなくてもよく、少なくとも一部が包囲されていればよい。
【００２４】
（反射部材）
反射部材３０は、包囲部２０を構成する第１網状部材２１の内側面に取り付けられる。反射部材３０は、近赤外線Ｎを反射する部材を含むように構成され、これにより水上又は水中の比較的上方から照射された近赤外線Ｎを水中にいる生物に効率よく照射させる。反射部材３０は、特に限定されないが、銀鏡やアルミ等によって構成することができる。
【００２５】
（加温方法）
次に本実施形態に係る加温システム１００を用いた加温方法について説明する。まず、目的とする海や池に餌を撒いたり、所定の水域に可視光を照射したりする等して目的とする魚をおびき寄せる。
【００２６】
魚が集まったことが確認できたら、包囲部２０を構成する第１網状部材２１と反射部材３０を水上から水中に投下して水中に設置する。照射部１０は、包囲部２０を構成する第１網状部材２１に取り付ける。第１網状部材２１は、縄等に取り付け、当該縄を陸上にある設置物等に杭等に括りつける等して位置調整ができる程度に包囲部２０を所定の水域に固定することができる。これにより、水中にいる生物を少なくとも側方から包囲する包囲部２０によって水中にいる生物が移動可能に包囲される。
【００２７】
次に、クレーン等（図示省略）を利用して、吊下部材２３に垂下した第２網状部材２２を水面に向けて降下させ、意図した高さ（水上）にて停止させる。第２網状部材１２に遮光部材を設けることによって、鳥類等による魚等の捕食を防止することができる。
【００２８】
次に、第１網状部材２１又は反射部材３０に取り付けたＬＥＤから近赤外線Ｎを照射する。近赤外線Ｎは、ＬＥＤから水中にいる生物に直接照射されたり、反射部材３０に反射して当該生物に照射されたり、ＬＥＤが水面に対して９０度未満の角度で近赤外線Ｎを照射することによって水面に反射したうえで当該生物に照射されたりする。近赤外線Ｎは水に吸収されにくい性質があるため、この性質を利用することで水温をほとんど上昇させることなく、水中にいる生物の体温を効率よく上昇させることができる。
【００２９】
なお、上述した加温方法は、反射部材３０に近赤外線Ｎを反射させ、近赤外線Ｎを水面に対して９０度未満の角度にて照射して近赤外線Ｎを水面で反射させれば、その他の工程は適宜変更してもよい。
【００３０】
以上説明したように、本実施形態に係る水中にいる生物の加温方法は、水中にいる生物
を少なくとも側方から包囲する包囲部２０によって水中にいる生物を包囲する。そして、水中にいる生物に光源から近赤外線Ｎを照射する。包囲部２０には近赤外線Ｎを反射する反射部材３０が取り付けられる。近赤外線Ｎは水中にいる生物に直接又は反射部材３０への反射を経て照射されるとともに、かつ水面Ｗに対して９０度未満の角度で照射される。
【００３１】
また、加温システム１００は、水中にいる生物を側方から包囲する包囲部２０と、包囲部２０の内側面に設けられ、近赤外線Ｎを反射する反射部材３０と、水中にいる生物に光源から近赤外線Ｎを照射する照射部１０と、を備える。照射部１０は、水中にいる生物に直接又は反射部材３０を経て近赤外線を照射するとともに、及び水面Ｗに対して９０度未満の角度で近赤外線Ｎを照射する。
【００３２】
近赤外線Ｎは水に吸収されにくい性質を有するため、この性質を利用して水中にいる生物にエネルギーを吸収させて当該生物を効率よく加温することで、呼吸や摂餌等の活力を高め、成長の促進を図ることができる。また、近赤外線Ｎによって水中にいる生物を効率よく加温することから省エネルギーや光熱費の低減を図ることができる。
【００３３】
本実施形態に係る水中にいる生物の加温方法は、飼育魚の育成に利用することで飼育魚の肥育や成長を容易に促進させることができる。具体的には、投餌前後の時間に近赤外線Ｎを照射することにより、活発な摂餌行動を誘引するとともに消化を促進させ、飼育魚の肥育や成長を促進させることができる。また、消化が終わったと推定される時間に近赤外線Ｎの照射を止めるようにすることで、基礎代謝を低減させて消費電力を削減することができる。
【００３４】
本実施形態のように水中にいる魚に近赤外線を照射せずに魚体の温度を管理しようとする方法には、加温水と冷却水を用意して飼育魚を加温水の水域と冷却水の水域に移動させたり、加温水と冷却水を入れ替えたりする方法がある。しかし、この方法では魚体の温度管理に光熱水費や労力を多く必要としてしまう。これに対して、本実施形態のように水中にいる生物に近赤外線を照射することによって、上記のような光熱水費や労力を低減することができる。
【００３５】
また、本実施形態に係る加温方法は、魚等の水生生物に限定されず、水中で活動するダイバー等に対して近赤外線Ｎを照射することでダイバーの体温を数度程度上昇させ、ダイバーの作業性を向上させることも期待できる。
【００３６】
また、包囲部２０を構成する第１網状部材２１の内側面には近赤外線Ｎを反射する反射部材３０を取り付けるように構成している。そのため、生物に直接照射されない近赤外線Ｎをも反射によって当該生物に照射でき、より効率的に当該生物を加温することができる。
【００３７】
また、近赤外線Ｎは水中にいる生物への直接照射又は反射部材３０への反射を介しての照射以外にも水面に対して９０度未満の角度で照射することによって水面Ｗに反射させたうえで水中にいる生物に近赤外線Ｎを照射することができる。これにより、水中にいる生物をより効率的に加温することができる。
【００３８】
また、近赤外線Ｎの照射では、水上に遮光性を備えた遮光部材を第２網状部材２２に設けるように構成している。そのため、水中にいる生物として魚類等が近赤外線Ｎの照射範囲にいる際に鳥等によって捕食されることを防止することができる。
【００３９】
また、照射部１０は包囲部２０に取り付けられ、包囲部２０は水中において移動可能に構成している。そのため、包囲部２０を移動させることによって照射部１０と水中にいる
生物との位置関係を調節し、近赤外線Ｎの照射を調節して水中にいる生物を効率よく加温することができる。
【００４０】
また、近赤外線Ｎを照射する光源にはＬＥＤを使用することができる。
【００４１】
なお、本発明は上述した実施形態に限定されず、特許請求の範囲において種々の変更が可能である。
【００４２】
図３は、本発明の変形例に係る加温システム１００ａを示す図である。上記では、海、養殖池等の天然の水域に包囲部２０を設置して近赤外線Ｎを照射すると説明したが、これに限定されない。上記以外にも図３の加温システム１００ａのように、包囲部２０ａが水槽２１ａによって水中にいる生物を包囲した状態で照射部１０から水中にいる生物に近赤外線Ｎを照射してもよい。照射部１０は、加温システム１００の照射部１０と同一であるため、説明を省略する。
図３の場合、反射部材３０は水槽２１ａの側面に設けられる。また、水槽２１ａの側面にはＬＥＤ等の照射部１０を設置して魚等の水中にいる生物に近赤外線Ｎを照射することができる。なお、水槽２１ａには図３に示すように人工魚礁４０を適宜設置してもよい。また、人工魚礁は図２のように海等の天然の水域に加温システムを適用する際に加温システムに含めるように構成してもよい。すなわち、海等に加温システムを適用する際には包囲部で包囲された空間内の海底等に人工魚礁を設置してもよい。
【００４３】
また、照射部１０は、水中にいる生物に対して当該生物の側方から近赤外線Ｎを照射する実施形態について説明したが、これに限定されない。上記以外にも水中において海底又は水槽の底面等の下方から水中にいる生物に近赤外線Ｎを照射してもよい。
【００４４】
また、図３では包囲部２０ａが加温システム１００の包囲部２０と異なり、第２網状部材２２を備えていない。このように、第２網状部材２２を用いない加温システム及び加温方法も本発明の一実施形態に含まれる。
【符号の説明】
【００４５】
１００、１００ａ  加温システム、
１０  照射部（光源）、
２０、２０ａ  包囲部、
２１  第１網状部材、
２２  第２網状部材（遮光部材）、
３０  反射部材、
Ｎ  近赤外線、
Ｗ  水面。
【図１】
2020174550.tif 000003
【図２】
2020174550.tif 000004
【図３】
2020174550.tif 000005